(57)【要約】【課題】車両搭載性を向上でき、且つ、荷重の制約を緩和できるグリルシャッタ及びスポイラの駆動装置を提供する。【解決手段】スポイラを作動させるスポイラレバー１３と、グリルシャッタを作動させるグリルレバー１４と、モータに駆動連結され該モータの回転をスポイラレバー１３及びグリルレバー１４に選択的に伝達し、若しくはモータの回転をスポイラレバー１３及びグリルレバー１４に順番に伝達する回動体１２、スポイラ係合溝１３ｃ及びグリル係合溝１５（伝達機構）とを備える。【選択図】図２
2017196935.tif 000002
【特許請求の範囲】
【請求項１】
モータと、
スポイラを作動させるスポイラレバーと、
グリルシャッタを作動させるグリルレバーと、
前記モータに駆動連結され、該モータの回転を前記スポイラレバー及び前記グリルレバーに選択的に伝達し、若しくは前記モータの回転を前記スポイラレバー及び前記グリルレバーに順番に伝達する伝達機構とを備えた、グリルシャッタ及びスポイラの駆動装置。
【請求項２】
請求項１に記載のグリルシャッタ及びスポイラの駆動装置において、
前記伝達機構は、
スポイラ係合突部及びグリル係合突部を有し、前記モータに回転駆動される回動体と、
前記スポイラレバーに形成され、前記回動体が初期位置から一方向である第１方向に所定のスポイラ作動位置まで回動するときに前記スポイラ係合突部と係合して前記スポイラレバーを回動させるとともに前記回動体が前記第１方向に前記スポイラ作動位置を超えて所定の第１グリル作動位置まで回動するときに前記スポイラ係合突部との係合を解除し、前記回動体が前記初期位置から逆方向である第２方向に所定の第２グリル作動位置まで回動するときに前記スポイラ係合突部との係合を解除するスポイラ係合凹部と、
前記グリルレバーに形成され、前記回動体が前記初期位置から前記第１方向に前記スポイラ作動位置まで回動するときに前記グリル係合突部を空走させるとともに前記回動体が前記第１方向に前記スポイラ作動位置を超えて前記第１グリル作動位置まで回動するときに前記グリル係合突部と係合して前記グリルレバーを回動させ、前記回動体が前記初期位置から前記第２方向に前記第２グリル作動位置まで回動するときに前記グリル係合突部と係合して前記グリルレバーを回動させるグリル係合凹部とを備えた、グリルシャッタ及びスポイラの駆動装置。
【請求項３】
請求項１に記載のグリルシャッタ及びスポイラの駆動装置において、
前記伝達機構は、
第１係合突部及び第２係合突部を有し、前記スポイラレバーと同軸で前記モータに回転駆動されるサンギヤと、
前記サンギヤの軸線を中心とする周方向に延在するガイド凹部の形成された固定部材と、
前記ガイド凹部に沿って移動自在に前記スポイラレバーに軸支されて前記サンギヤに噛合され、前記サンギヤが初期位置から一方向である第１方向に所定のスポイラ作動位置まで回動するときに前記ガイド凹部に沿ってその一方の終端である第１端まで公転しつつ自転して前記スポイラレバーを回動させるとともに前記サンギヤが前記第１方向に前記スポイラ作動位置を超えて所定の第１グリル作動位置まで回動するときに前記第１端で自転し、前記サンギヤが前記初期位置から逆方向である第２方向に所定の第２グリル作動位置まで回動するときに前記ガイド凹部の他方の終端である第２端で自転する遊星ギヤと、
前記グリルレバーに設けられ、前記サンギヤが前記初期位置から前記第１方向に前記スポイラ作動位置まで回動するときに前記第１係合突部と非係合であるとともに前記サンギヤが前記第１方向に前記スポイラ作動位置を超えて前記第１グリル作動位置まで回動するときに前記第１係合突部と係合して前記グリルレバーを回動させる第１突片と、
前記グリルレバーに設けられた中継片と、
第２突片を有し、前記サンギヤが前記初期位置から前記第１方向に前記第１グリル作動位置まで回動するときに前記第２係合突部と非係合であるとともに前記サンギヤが前記初期位置から前記第２方向に前記第２グリル作動位置まで回動するときに前記第２係合突部と係合して回動し、前記第２突片において前記中継片と係合して前記グリルレバーを回動させる第２グリルレバーとを備えた、グリルシャッタ及びスポイラの駆動装置。
【請求項４】
請求項１に記載のグリルシャッタ及びスポイラの駆動装置において、
前記グリルレバーは、互いに平行な軸線周りに回動自在な第１グリルレバー及び第２グリルレバーからなり、
前記伝達機構は、
前記モータに回転駆動されるボルトと、
第１係合突部、第２係合突部及びラックを有し、回転の規制された状態で前記ボルトと螺合するナットと、
前記スポイラレバーに設けられ、前記ナットが初期位置から一方向である第１方向に所定のスポイラ作動位置まで前記ボルトに沿って移動するときに前記ラックと噛合して前記スポイラレバーと共に回動するとともに前記ナットが前記第１方向に前記スポイラ作動位置を超えて所定の第１グリル作動位置まで前記ボルトに沿って移動するときに前記ラックとの噛合を解除し、前記ナットが前記初期位置から逆方向である第２方向に所定の第２グリル作動位置まで前記ボルトに沿って移動するときに前記ラックとの噛合を解除するセクタギヤ部と、
前記第１グリルレバーに設けられ、前記ナットが前記初期位置から前記第１方向に前記スポイラ作動位置まで前記ボルトに沿って移動するときに前記第１係合突部と非係合であるとともに前記ナットが前記第１方向に前記スポイラ作動位置を超えて前記第１グリル作動位置まで前記ボルトに沿って移動するときに前記第１係合突部と係合して前記第１グリルレバーと共に回動する第１突片と、
前記第２グリルレバーに設けられ、前記ナットが前記初期位置から前記第１方向に前記第１グリル作動位置まで前記ボルトに沿って移動するときに前記第２係合突部と非係合であり、前記ナットが前記初期位置から前記第２方向に前記第２グリル作動位置まで前記ボルトに沿って移動するときに前記第２係合突部と係合して前記第２グリルレバーと共に回動する第２突片とを備えた、グリルシャッタ及びスポイラの駆動装置。
【発明の詳細な説明】
【技術分野】
【０００１】
本発明は、グリルシャッタ及びスポイラの駆動装置に関するものである。
【背景技術】
【０００２】
従来、グリルシャッタ及びスポイラの駆動装置として種々のものが提案されている。
例えば特許文献１に記載された駆動装置は、ワックス型サーモスタットでグリルシャッタ（可動グリルのシャッタ）を開閉作動させ、モータでスポイラ（エアスポイラー）を昇降作動させるものである。
【０００３】
一方、特許文献２に記載された駆動装置は、二つの駆動対象を一つのモータで駆動するもので、両駆動対象をそれぞれ独立で作動させるために一対のワンウェイクラッチを備えている。両駆動対象をそれぞれグリルシャッタ及びスポイラと見なすことでそれらを独立で作動させることができるのはいうまでもない。
【先行技術文献】
【特許文献】
【０００４】
【特許文献１】実公昭６１−３４２２４号公報
【特許文献２】特開昭６４−１８７４４号公報
【発明の概要】
【発明が解決しようとする課題】
【０００５】
ところで、特許文献１では、グリルシャッタ及びスポイラに個別に駆動源が必要になることで、車両搭載性が低くなるとともに質量及びコストが増加することになる。
一方、特許文献２では、ワンウェイクラッチを使用していることで、一方向への回転のみでグリルシャッタの開閉作動若しくは及びスポイラの昇降作動を完結することが必要になって煩雑である。また、ワンウェイクラッチは、回転方向の規制に係る爪にモータ荷重がかかる構造であることで、許容し得る荷重には自ずと限界がある。
【０００６】
本発明の目的は、車両搭載性を向上でき、且つ、荷重の制約を緩和できるグリルシャッタ及びスポイラの駆動装置を提供することにある。
【課題を解決するための手段】
【０００７】
上記課題を解決するグリルシャッタ及びスポイラの駆動装置は、モータと、スポイラを作動させるスポイラレバーと、グリルシャッタを作動させるグリルレバーと、前記モータに駆動連結され、該モータの回転を前記スポイラレバー及び前記グリルレバーに選択的に伝達し、若しくは前記モータの回転を前記スポイラレバー及び前記グリルレバーに順番に伝達する伝達機構とを備える。
【０００８】
この構成によれば、前記モータが駆動されると、その回転が前記伝達機構を介して前記スポイラレバーに伝達されることで前記スポイラが作動し、あるいは前記グリルレバーに伝達されることで前記グリルシャッタが作動する。この場合、前記伝達機構により、前記モータの回転が前記スポイラレバー及び前記グリルレバーのいずれか一方に伝達されるときに、いずれか他方への伝達自体が行われなくなることで、それらの間に荷重がかかることを解消できる。また、前記スポイラの作動及び前記グリルシャッタの作動を一つの前記モータで実現したことで、車両搭載性を向上できる。
【０００９】
上記グリルシャッタ及びスポイラの駆動装置について、前記伝達機構は、スポイラ係合突部及びグリル係合突部を有し、前記モータに回転駆動される回動体と、前記スポイラレバーに形成され、前記回動体が初期位置から一方向である第１方向に所定のスポイラ作動位置まで回動するときに前記スポイラ係合突部と係合して前記スポイラレバーを回動させるとともに前記回動体が前記第１方向に前記スポイラ作動位置を超えて所定の第１グリル作動位置まで回動するときに前記スポイラ係合突部との係合を解除し、前記回動体が前記初期位置から逆方向である第２方向に所定の第２グリル作動位置まで回動するときに前記スポイラ係合突部との係合を解除するスポイラ係合凹部と、前記グリルレバーに形成され、前記回動体が前記初期位置から前記第１方向に前記スポイラ作動位置まで回動するときに前記グリル係合突部を空走させるとともに前記回動体が前記第１方向に前記スポイラ作動位置を超えて前記第１グリル作動位置まで回動するときに前記グリル係合突部と係合して前記グリルレバーを回動させ、前記回動体が前記初期位置から前記第２方向に前記第２グリル作動位置まで回動するときに前記グリル係合突部と係合して前記グリルレバーを回動させるグリル係合凹部とを備えることが好ましい。
【００１０】
この構成によれば、前記回動体が前記初期位置から前記第１方向に前記スポイラ作動位置まで回動するときには、前記スポイラ係合突部が前記スポイラ係合凹部と係合して前記スポイラレバーを回動させるとともに、前記グリル係合突部が前記グリル係合凹部を空走する。従って、前記スポイラのみが作動し、前記グリルシャッタが作動することはない。引き続き、前記回動体が前記第１方向に前記スポイラ作動位置を超えて前記第１グリル作動位置まで回動するときには、前記スポイラ係合凹部が前記スポイラ係合突部との係合を解除するとともに、前記グリル係合突部が前記グリル係合凹部と係合して前記グリルレバーを回動させる。従って、前記スポイラに続いて前記グリルシャッタも作動する。一方、前記回動体が前記初期位置から前記第２方向に前記第２グリル作動位置まで回動するときには、前記スポイラ係合凹部が前記スポイラ係合突部との係合を解除するとともに、前記グリル係合突部が前記グリル係合凹部と係合して前記グリルレバーを回動させる。従って、前記グリルシャッタのみが作動し、前記スポイラが作動することはない。
【００１１】
以上により、前記回動体に設けた前記スポイラ係合突部及び前記グリル係合突部の各々と、前記スポイラレバーに形成した前記スポイラ係合凹部及び前記グリルレバーに形成した前記グリル係合凹部の各々との係合等による極めて簡易な構造で、前記スポイラ又は前記グリルシャッタを作動できる。
【００１２】
上記グリルシャッタ及びスポイラの駆動装置について、前記伝達機構は、第１係合突部及び第２係合突部を有し、前記スポイラレバーと同軸で前記モータに回転駆動されるサンギヤと、前記サンギヤの軸線を中心とする周方向に延在するガイド凹部の形成された固定部材と、前記ガイド凹部に沿って移動自在に前記スポイラレバーに軸支されて前記サンギヤに噛合され、前記サンギヤが初期位置から一方向である第１方向に所定のスポイラ作動位置まで回動するときに前記ガイド凹部に沿ってその一方の終端である第１端まで公転しつつ自転して前記スポイラレバーを回動させるとともに前記サンギヤが前記第１方向に前記スポイラ作動位置を超えて所定の第１グリル作動位置まで回動するときに前記第１端で自転し、前記サンギヤが前記初期位置から逆方向である第２方向に所定の第２グリル作動位置まで回動するときに前記ガイド凹部の他方の終端である第２端で自転する遊星ギヤと、前記グリルレバーに設けられ、前記サンギヤが前記初期位置から前記第１方向に前記スポイラ作動位置まで回動するときに前記第１係合突部と非係合であるとともに前記サンギヤが前記第１方向に前記スポイラ作動位置を超えて前記第１グリル作動位置まで回動するときに前記第１係合突部と係合して前記グリルレバーを回動させる第１突片と、前記グリルレバーに設けられた中継片と、第２突片を有し、前記サンギヤが前記初期位置から前記第１方向に前記第１グリル作動位置まで回動するときに前記第２係合突部と非係合であるとともに前記サンギヤが前記初期位置から前記第２方向に前記第２グリル作動位置まで回動するときに前記第２係合突部と係合して回動し、前記第２突片において前記中継片と係合して前記グリルレバーを回動させる第２グリルレバーとを備えることが好ましい。
【００１３】
この構成によれば、前記サンギヤが前記初期位置から前記第１方向に前記スポイラ作動位置まで回動するときには、前記遊星ギヤが前記ガイド凹部に沿って公転しつつ自転して前記スポイラレバーを回動させる。このとき、前記第１突片が前記第１係合突部と非係合であるとともに、前記第２グリルレバーが前記第２合突部と非係合である。従って、前記スポイラのみが作動し、前記グリルシャッタが作動することはない。引き続き、前記サンギヤが前記第１方向に前記スポイラ作動位置を超えて前記第１グリル作動位置まで回動するときには、前記遊星ギヤが前記第１端で自転するとともに、前記第１係合突部が前記第１突片と係合して前記グリルレバーを回動させる。従って、前記スポイラに続いて前記グリルシャッタも作動する。一方、前記サンギヤが前記初期位置から前記第２方向に前記第２グリル作動位置まで回動するときには、前記遊星ギヤが前記第２端で自転するとともに、前記第２係合突部が係合して前記第２グリルレバーを回動させる。これに伴い、前記第２突片が前記中継片と係合して前記第２グリルレバーを回動させる。従って、前記グリルシャッタのみが作動し、前記スポイラが作動することはない。
【００１４】
上記グリルシャッタ及びスポイラの駆動装置について、前記グリルレバーは、互いに平行な軸線周りに回動自在な第１グリルレバー及び第２グリルレバーからなり、前記伝達機構は、前記モータに回転駆動されるボルトと、第１係合突部、第２係合突部及びラックを有し、回転の規制された状態で前記ボルトと螺合するナットと、前記スポイラレバーに設けられ、前記ナットが初期位置から一方向である第１方向に所定のスポイラ作動位置まで前記ボルトに沿って移動するときに前記ラックと噛合して前記スポイラレバーと共に回動するとともに前記ナットが前記第１方向に前記スポイラ作動位置を超えて所定の第１グリル作動位置まで前記ボルトに沿って移動するときに前記ラックとの噛合を解除し、前記ナットが前記初期位置から逆方向である第２方向に所定の第２グリル作動位置まで前記ボルトに沿って移動するときに前記ラックとの噛合を解除するセクタギヤ部と、前記第１グリルレバーに設けられ、前記ナットが前記初期位置から前記第１方向に前記スポイラ作動位置まで前記ボルトに沿って移動するときに前記第１係合突部と非係合であるとともに前記ナットが前記第１方向に前記スポイラ作動位置を超えて前記第１グリル作動位置まで前記ボルトに沿って移動するときに前記第１係合突部と係合して前記第１グリルレバーと共に回動する第１突片と、前記第２グリルレバーに設けられ、前記ナットが前記初期位置から前記第１方向に前記第１グリル作動位置まで前記ボルトに沿って移動するときに前記第２係合突部と非係合であり、前記ナットが前記初期位置から前記第２方向に前記第２グリル作動位置まで前記ボルトに沿って移動するときに前記第２係合突部と係合して前記第２グリルレバーと共に回動する第２突片とを備えることが好ましい。
【００１５】
この構成によれば、前記ボルトが回転すると、該ボルトとの間のねじ作用で前記ナットが前記ボルトに沿って移動する。前記ナットが前記初期位置から前記第１方向に前記スポイラ作動位置まで前記ボルトに沿って移動するときには、前記ラックに噛合する前記セクタギヤ部が前記スポイラレバーと共に回動するとともに、前記第１係合突部及び前記第２係合突部がそれぞれ前記第１突片及び前記第２突片に非係合である。従って、前記スポイラのみが作動し、前記グリルシャッタが作動することはない。引き続き、前記ナットが前記第１方向に前記スポイラ作動位置を超えて前記第１グリル作動位置まで前記ボルトに沿って移動すると、前記第１突片が前記第１係合突部と係合して前記第１グリルレバーを回動させる。従って、前記スポイラに続いて前記グリルシャッタも作動する。一方、前記ナットが前記初期位置から前記第２方向に前記第２グリル作動位置まで前記ボルトに沿って移動すると、前記第２突片が前記第２係合突部と係合して前記第２グリルレバーを回動させる。従って、前記グリルシャッタのみが作動し、前記スポイラが作動することはない。
【発明の効果】
【００１６】
本発明は、車両搭載性を向上でき、且つ、荷重の制約を緩和できる効果がある。
【図面の簡単な説明】
【００１７】
【図１】グリルシャッタ及びスポイラの駆動装置の第１の実施形態が適用される車両のボデーについてその構造を示す縦断面図。
【図２】同実施形態のグリルシャッタ及びスポイラの駆動装置についてその構造を示す概略図。
【図３】同実施形態のグリルシャッタ及びスポイラの駆動装置についてその構造を示す概略図であって、（ａ）はグリルシャッタの全閉状態及びスポイラの展開作動状態に相当し、（ｂ）はグリルシャッタの全閉状態及びスポイラの展開状態に相当し、（ｃ）はグリルシャッタの全開状態及びスポイラの展開状態に相当し、（ｄ）はグリルシャッタの全開状態及びスポイラの格納状態に相当する。
【図４】グリルシャッタ及びスポイラの駆動装置の第２の実施形態についてその構造を示す概略図。
【図５】同実施形態のグリルシャッタ及びスポイラの駆動装置についてその構造を示す概略図であって、（ａ）はグリルシャッタの全閉状態及びスポイラの展開作動状態に相当し、（ｂ）はグリルシャッタの全閉状態及びスポイラの展開状態に相当し、（ｃ）はグリルシャッタの全開状態及びスポイラの展開状態に相当する。
【図６】同実施形態のグリルシャッタ及びスポイラの駆動装置についてその構造を示すグリルシャッタの全開状態及びスポイラの格納状態に相当する概略図。
【図７】グリルシャッタ及びスポイラの駆動装置の第３の実施形態についてその構造を示す概略図。
【図８】同実施形態のグリルシャッタ及びスポイラの駆動装置についてその構造を示す概略図であって、（ａ）はグリルシャッタの全閉状態及びスポイラの展開状態に相当し、（ｂ）はグリルシャッタの全開状態及びスポイラの展開状態に相当し、（ｃ）はグリルシャッタの全開状態及びスポイラの格納状態に相当する。
【発明を実施するための形態】
【００１８】
（第１の実施形態）
以下、グリルシャッタ及びスポイラの駆動装置の第１の実施形態について説明する。なお、以下では、車両の前後方向及び幅方向をそれぞれを「前後方向」及び「幅方向」という。
【００１９】
図１に示すように、車両のボデー１の前部には、その意匠面を構成する上下一対のフロントグリル３が取着されている。また、ボデー１の前部内部に形成されたエンジンルーム２には、両フロントグリル３の後方で上下一対のグリルシャッタ４が取着されている。各グリルシャッタ４は、幅方向（図１において紙面に直交する方向）に延在して前後方向に開口する略四角枠状のフレーム４ａと、該フレーム４ａに幅方向に延びる軸線周りに回動自在に支持された上下一対の可動フィン４ｂとを有する。そして、各可動フィン４ｂは、両グリルシャッタ４の間に跨って上下方向に起立する略棒状の伝達リンク６に連係されている。各可動フィン４ｂは、伝達リンク６が前後方向でフレーム４ａに密着することでグリルシャッタ４が閉作動するように回動するとともに、伝達リンク６がフレーム４ａの後方に略平行に離間することでグリルシャッタ４が開作動するように回動する。各グリルシャッタ４は、両可動フィン４ｂの回動によりフレーム４ａの開口を開閉することでエンジンルーム２内に流れ込む空気の流量を調整する。
【００２０】
また、ボデー１の前部下端には、スポイラ５が昇降自在に連結されている。このスポイラ５は、ボデー１の下端から下方に突出するように下降・展開されることで、例えば車両の高速走行時に前方からの空気を下方に導く。あるいは、スポイラ５は、ボデー１の下端よりも上方に引っ込むように上昇・格納されることで、例えば路面の段差との干渉を抑制する。
【００２１】
エンジンルーム２内には、アクチュエータ１０が設置されている。このアクチュエータ１０は、伝達リンク６に機械的に連係されるとともに、スポイラリンク機構７に機械的に連係されている。このスポイラリンク機構７は、スポイラ５に連結されており、該スポイラ５を昇降作動させる。アクチュエータ１０は、その内蔵するモータ１１の回転を伝達リンク６に伝達することで両グリルシャッタ４を同時に開閉作動させ、あるいはスポイラリンク機構７に伝達することでスポイラ５を昇降作動させる。
【００２２】
次に、アクチュエータ１０について説明する。
図２に示すように、アクチュエータ１０は、モータ１１により軸線Ｏの周りに回転駆動される、例えばホイールギヤなどの回動体１２を備える。この回動体１２は、軸線Ｏを中心とする略円盤状の本体部１２ａを有するとともに、該本体部１２ａの軸線Ｏを中心とする径方向一側（図示左下側）の外周部で軸線方向に突設された略ピン状のスポイラ係合突部１２ｂを有し、更に軸線Ｏを中心とする径方向他側（図示上側）に延伸するアーム部１２ｃを有する。なお、本体部１２ａよりも外周側に位置するアーム部１２ｃの先端部には、軸線方向に略ピン状のグリル係合突部１２ｄが突設されている。
【００２３】
また、アクチュエータ１０は、本体部１２ａよりも図示左側の外周側で軸線Ｏと平行に延びる軸線Ｏｓの周りに回動自在なスポイラレバー１３を備える。このスポイラレバー１３は、軸線Ｏｓを中心とする径方向一側（図示右下側）に延伸する係合片１３ａを有するとともに、径方向他側（図示左下側）に延伸する作用片１３ｂを有する。係合片１３ａには、その先端から軸線Ｏｓに向かって凹むスポイラ係合凹部としての略Ｖ字状のスポイラ係合溝１３ｃが形成されている。つまり、係合片１３ａは、互いに異なる径方向に延出する一対の略爪状の係合部１３ｄ，１３ｅを有して略Ｖ字形状を呈する。なお、アクチュエータ１０は、スポイラレバー１３の作用片１３ｂにおいて伝達リンク６に機械的に連係される。つまり、スポイラレバー１３が回動することで、スポイラ５が昇降作動するようになっている。
【００２４】
さらに、アクチュエータ１０は、本体部１２ａよりも図示上側の外周側で軸線Ｏと平行に延びる軸線Ｏｇの周りに回動自在なグリルレバー１４を備える。このグリルレバー１４は、軸線Ｏｇを中心とする径方向一側（図示下側）に延伸する突片１４ａを有するとともに、該突片１４ａの基端部から図示時計回りに延伸する略円弧状の円弧片１４ｂを有し、更に該円弧片１４ｂの先端から一側（図示右上側）に延伸する突片１４ｃを有する。そして、グリルレバー１４には、その軸線方向に凹んでグリル係合突部１２ｄの遊挿されるグリル係合凹部としてのグリル係合溝１５が形成されている。このグリル係合溝１５は、本体部１２ａの直径よりも大きい直径を有して円弧片１４ｂに沿って延びる略円弧状の解放溝１５ａを有するとともに、該解放溝１５ａに連通して突片１４ｃに沿って略直線状に延びる第１係合溝１５ｂを有し、更に解放溝１５ａに連通して突片１４ａに沿って略直線状に延びる第２係合溝１５ｃを有する。なお、グリルレバー１４は、軸線Ｏｇを中心とする径方向他側（図示左側）に延伸する作用片１４ｄを有しており、アクチュエータ１０は、グリルレバー１４の作用片１４ｄにおいて伝達リンク６に機械的に連係される。つまり、グリルレバー１４が回動することで、両グリルシャッタ４が同時に開閉作動するようになっている。
【００２５】
回動体１２、スポイラ係合溝１３ｃ及びグリル係合溝１５は、伝達機構を構成する。
ここで、グリルシャッタ４が全閉状態にあり、且つ、スポイラ５が格納状態にあるとき、図２に示すように、初期位置Ｐｏにある回動体１２は、スポイラ係合突部１２ｂ及びグリル係合突部１２ｄをそれぞれ軸線Ｏを中心とする径方向一側及び他側（図示左下側及び上側）に配置する。また、スポイラレバー１３は、適宜の付勢部材（図示略）により、所定の初期回動位置Ｐｓｏに位置決めされている。このとき、軸線Ｏｓを中心とする径方向一側（図示右下側）に延伸する係合片１３ａのスポイラ係合溝１３ｃにスポイラ係合突部１２ｂが進入して一方の係合部１３ｄに当接又は近接する。さらに、グリル係合溝１５に挿入されるグリル係合突部１２ｄによって姿勢の制御されるグリルレバー１４は、解放溝１５ａが軸線Ｏを中心とする周方向に延びる所定の初期回動位置Ｐｇｏにある。このとき、解放溝１５ａの図示時計回りに追従する側の終端にグリル係合突部１２ｄが位置する。
【００２６】
この状態で、回動体１２が図示時計回り（以下、「第１方向Ｃ１」ともいう）に回動駆動されると、図３（ａ）への変化で示すように、スポイラ係合突部１２ｂにスポイラ係合溝１３ｃ（係合部１３ｄ）の押圧されるスポイラレバー１３が軸線Ｏｓを中心に図示反時計回りに回動する。このとき、グリルレバー１４は、グリル係合突部１２ｄが解放溝１５ａを空走（空振り）することで初期回動位置Ｐｇｏに配置されたままである。
【００２７】
そして、回動体１２が第１方向Ｃ１に更に回動駆動されて所定のスポイラ作動位置Ｐａに到達すると、図３（ｂ）への変化で示すように、これに伴ってスポイラレバー１３が所定のスポイラ作動回動位置Ｐｓａに到達する。初期回動位置Ｐｓｏ及びスポイラ作動回動位置Ｐｓａの間の回動量Δθｓは、前述のスポイラ５の下降作動（展開作動）が完了する作用片１３ｂの回動量に相当している。つまり、スポイラレバー１３がスポイラ作動回動位置Ｐｓａに到達することで、スポイラ５が展開状態になる。このとき、スポイラ係合溝１３ｃの係合部１３ｄがスポイラ係合突部１２ｂの回動軌跡を開放して該スポイラ係合突部１２ｂとの係合を解除する。ただし、同時にスポイラ係合溝１３ｃの他方の係合部１３ｅがスポイラ係合突部１２ｂの回動軌跡を逆方向で遮る。また、グリルレバー１４は、依然として初期回動位置Ｐｇｏに配置されたままであるものの、グリル係合突部１２ｄが解放溝１５ａの図示時計回りに先行する側の終端に到達する。
【００２８】
なお、スポイラレバー１３を前述の初期回動位置Ｐｓｏに位置決めする付勢部材は、スポイラレバー１３をスポイラ作動回動位置Ｐｓａにも位置決めする。つまり、当該付勢部材は、初期回動位置Ｐｓｏ及びスポイラ作動回動位置Ｐｓａの２位置でスポイラレバー１３を位置決め・保持する構造（例えば節度スプリングなど）となっている。
【００２９】
続いて、回動体１２が第１方向Ｃ１に更に回動駆動されると、第１係合溝１５ｂを摺動するグリル係合突部１２ｄに押圧されるグリルレバー１４が軸線Ｏｇを中心に図示時計回りに回動する。そして、回動体１２が所定の第１グリル作動位置Ｐｂに到達すると、図３（ｃ）への変化で示すように、これに伴ってグリルレバー１４が所定のグリルシャッタ作動回動位置Ｐｇｂに到達する。初期回動位置Ｐｇｏ及びグリルシャッタ作動回動位置Ｐｇｂの間の回動量Δθｇは、前述のグリルシャッタ４の開作動が完了するグリルレバー１４の回動量に相当している。つまり、グリルレバー１４がグリルシャッタ作動回動位置Ｐｇｂに到達することで、グリルシャッタ４が全開状態になる。このとき、スポイラレバー１３は、スポイラ係合突部１２ｂがスポイラ係合溝１３ｃ（係合部１３ｄ）を通過（空振り）することでスポイラ作動回動位置Ｐｓａに配置されたままである。
【００３０】
回動体１２が第１グリル作動位置Ｐｂからスポイラ作動位置Ｐａまで回動すると、グリル係合突部１２ｄに押圧されてグリルレバー１４が回動する。これにより、前述とは逆順でグリルシャッタ４が閉作動して全閉状態になる。続いて、回動体１２がスポイラ作動位置Ｐａから初期位置Ｐｏに移動すると、スポイラ係合突部１２ｂにスポイラ係合溝１３ｃ（ここでは係合部１３ｅ）の押圧されるスポイラレバー１３が回動する。これにより、前述とは逆順でスポイラ５が上昇作動して格納状態になる。
【００３１】
一方、回動体１２が初期位置Ｐｏにある状態で、回動体１２が図示反時計回り（以下、「第２方向Ｃ２」ともいう）に回動駆動されると、第２係合溝１５ｃを摺動するグリル係合突部１２ｄに押圧されるグリルレバー１４が軸線Ｏｇを中心に図示時計回りに回動する。このとき、スポイラレバー１３は、スポイラ係合突部１２ｂがスポイラ係合溝１３ｃ（係合部１３ｄ）からそのまま離れて（空振りして）これとの係合を解除することで初期回動位置Ｐｓｏに配置されたままである。そして、回動体１２が所定の第２グリル作動位置Ｐｃに到達すると、図３（ｄ）への変化で示すように、これに伴ってグリルレバー１４が前述のグリルシャッタ作動回動位置Ｐｇｂに到達する。グリルレバー１４がグリルシャッタ作動回動位置Ｐｇｂに到達することで、グリルシャッタ４が全開状態になることは既述のとおりである。
【００３２】
回動体１２が第２グリル作動位置Ｐｃから初期位置Ｐｏまで回動すると、グリル係合突部１２ｄに第２係合溝１５ｃの押圧されるグリルレバー１４が回動する。これにより、前述とは逆順でグリルシャッタ４が閉作動して全閉状態になる。
【００３３】
次に、本実施形態の作用とともに、その効果について説明する。
（１）本実施形態では、モータ１１が駆動されると、その回転が回動体１２等（伝達機構）を介してスポイラレバー１３に伝達されることでスポイラ５が作動し、あるいはグリルレバー１４に伝達されることで両グリルシャッタ４が作動する。この場合、回動体１２等により、モータ１１の回転がスポイラレバー１３及びグリルレバー１４のいずれか一方に伝達されるときに、いずれか他方への伝達自体が行われなくなることで、それらの間に荷重がかかることを解消できる。また、スポイラ５の作動及びグリルシャッタ４の作動を一つのモータ１１で実現したことで、車両搭載性を向上できる。あるいは、一つのモータ１１で済むことで、部品点数及びコストを削減できる。
【００３４】
（２）本実施形態では、回動体１２に設けたスポイラ係合突部１２ｂ及びグリル係合突部１２ｄの各々と、スポイラレバー１３に形成したスポイラ係合溝１３ｃ及びグリルレバー１４に形成したグリル係合溝１５の各々との係合等による極めて簡易な構造で、スポイラ５又は両グリルシャッタ４を作動できる。
【００３５】
（３）本実施形態では、モータ１１の回転方向を切り替えることでグリルシャッタ４を開作動及び閉作動できる。あるいは、モータ１１の回転方向を切り替えることでスポイラ５を上昇作動及び下降作動できる。このように、グリルシャッタ４及びスポイラ５に共にモータ１１の両方向の回転を伝達できることで、例えば一方向の回転しか伝達できない場合に比べてそれらの作動を簡素化できる。
【００３６】
（第２の実施形態）
以下、グリルシャッタ及びスポイラの駆動装置の第２の実施形態について説明する。なお、第２の実施形態は、第１の実施形態の伝達機構を変更した構成であるため、同様の部分についてはその詳細な説明は省略する。
【００３７】
図４に示すように、本実施形態のアクチュエータ２０は、モータ１１により軸線Ｏ１の周りに回転駆動される、例えばホイールギヤなどのサンギヤ２１を備える。このサンギヤ２１は、軸線Ｏ１を中心とする略円盤状のギヤ部２１ａを有するとともに、該ギヤ部２１ａの軸線Ｏ１を中心とする径方向一側（図示左下側）の外周部で軸線方向に突設された第１係合突部としての略ピン状の第１グリル係合突部２１ｂを有し、更に軸線Ｏ１を中心とする径方向他側（図示上側）に延伸するアーム部２１ｃを有する。なお、ギヤ部２１ａよりも外周側に位置するアーム部２１ｃの先端部には、軸線方向に第２係合突部としての略ピン状の第２グリル係合突部２１ｄが突設されている。
【００３８】
また、アクチュエータ２０は、ギヤ部２１ａよりも外周側で回動不能に固定された固定部材としての固定プレート２２を備える。この固定プレート２２は、ギヤ部２１ａの図示左下側の略半周に沿う略半円弧形状を呈しており、ギヤ部２１ａよりも外周側で軸線Ｏ１を中心とする周方向に延びるガイド凹部２２ａが形成されている。
【００３９】
さらに、アクチュエータ２０は、例えばホイールギヤなどの遊星ギヤ２３を備える。この遊星ギヤ２３は、ガイド凹部２２ａに回転自在に、且つ、該ガイド凹部２２ａに沿って移動自在に遊挿された軸部２３ａを有するとともに、該軸部２３ａが挿通されてサンギヤ２１のギヤ部２１ａに噛合するギヤ部２３ｂを有する。ギヤ部２３ｂの歯数は、ギヤ部２１ａの歯数よりも小さく設定されている。従って、遊星ギヤ２３は、ガイド凹部２２ａ内で軸部２３ａの周りに自転可能であるとともに、ガイド凹部２２ａ内で軸部２３ａを摺動させつつ軸線Ｏ１の周りに公転可能である。
【００４０】
また、アクチュエータ２０は、軸線Ｏ１の周りに（即ちサンギヤ２１と同軸で）回動自在なスポイラレバー２４を備える。このスポイラレバー２４は、軸線Ｏ１を中心とする径方向一側（図示左下側）に延伸する略アーム状の作用片２４ａ及び該作用片２４ａの長手方向中間部から軸線Ｏ１を中心とする周方向両側に延伸する円弧部２４ｂを有して略十字形状を呈する。円弧部２４ｂには、ガイド凹部２２ａと同心円上に位置する空走溝２４ｃが形成されている。なお、アクチュエータ２０は、スポイラレバー２４の作用片２４ａにおいてスポイラリンク機構７に機械的に連係される。つまり、スポイラレバー２４が回動することで、スポイラ５が昇降作動するようになっている。
【００４１】
さらに、アクチュエータ２０は、ギヤ部２１ａよりも図示右側の外周側で軸線Ｏ１と平行に延びる軸線Ｏｇ１の周りに回動自在な第１グリルレバー２５を備える。この第１グリルレバー２５は、軸線Ｏｇ１を中心とする第１の径方向（図示左方向）に延伸する第１突片２５ａを有するとともに、第２の径方向（図示右上方向）に延伸する中継片２５ｂを有し、更に第３の径方向（図示右方向）に延伸する作用片２５ｃを有する。第１突片２５ａの先端部は、第１グリル係合突部２１ｂの回動軌跡を遮るように配置されている。なお、アクチュエータ２０は、第１グリルレバー２５の作用片２５ｃにおいて伝達リンク６に機械的に連係される。つまり、第１グリルレバー２５が回動することで、両グリルシャッタ４が同時に開閉作動するようになっている。
【００４２】
また、アクチュエータ２０は、軸線Ｏｇ１の図示右上側で該軸線Ｏｇ１と平行に延びる軸線Ｏｇ２の周りに回動自在な第２グリルレバー２６を備える。この第２グリルレバー２６は、軸線Ｏｇ２を中心とする径方向一側（図示左側）に延伸する略アーム状の第２突片２６ａを有する。第２突片２６ａの先端部は、アーム部２１ｃと干渉することなく第２グリル係合突部２１ｄの図示時計回りの回動軌跡を遮るように配置されている。
【００４３】
サンギヤ２１、固定プレート２２、遊星ギヤ２３、第１突片２５ａ、中継片２５ｂ及び第２グリルレバー２６は、伝達機構を構成する。
ここで、グリルシャッタ４が全閉状態にあり、且つ、スポイラ５が格納状態にあるとき、図４に示すように、初期位置Ｐｏ１にあるサンギヤ２１は、第１グリル係合突部２１ｂ及び第２グリル係合突部２１ｄをそれぞれ軸線Ｏ１を中心とする径方向一側及び他側（図示左下側及び上側）に配置する。また、遊星ギヤ２３は、軸部２３ａがガイド凹部２２ａの図示反時計回りに追従する側の終端（第２端）Ｅｆに位置するように配置されている。さらに、スポイラレバー２４は、適宜の付勢部材（図示略）により、所定の初期回動位置Ｐｓｏ１に位置決めされている。このとき、作用片２４ａは、軸線Ｏ１を中心とする径方向一側（図示左下側）に延伸しており、空走溝２４ｃは、図示反時計回りに追従する側の終端が軸部２３ａに位置する。また、第１グリルレバー２５は、適宜の付勢部材（図示略）により、所定の初期回動位置Ｐｇｏ１に位置決めされている。このとき、第１突片２５ａは、第１の径方向（図示左方向）に延伸して第１グリル係合突部２１ｂの図示反時計回りの回動軌跡を遮るとともに、中継片２５ｂは、第２の径方向（図示右上方向）に延伸して第２グリルレバー２６に当接又は近接する。さらに、第２グリルレバー２６は、適宜の付勢部材（図示略）により、所定の初期回動位置Ｐｇｏ２に位置決めされている。このとき、第２突片２６ａは、軸線Ｏｇ２を中心とする径方向一側（図示左側）に延伸して第２グリル係合突部２１ｄの図示時計回りの回動軌跡を遮るとともに、図示反時計回りの回動軌跡を開放する。
【００４４】
この状態で、サンギヤ２１が図示反時計回り（以下、「第１方向Ｃ１１」ともいう）に回動駆動されると、ギヤ部２３ｂにおいてサンギヤ２１に噛合する遊星ギヤ２３が軸部２３ａの周りに自転しつつガイド凹部２２ａ及び空走溝２４ｃに沿って図示反時計回りに公転する。そして、図５（ａ）への変化で示すように、遊星ギヤ２３の軸部２３ａは、空走溝２４ｃの図示反時計回りに先行する側の終端に到達する。つまり、この段階までは、スポイラレバー２４は、軸部２３ａがガイド凹部２２ａ及び空走溝２４ｃを空走（空振り）することで初期回動位置Ｐｓｏ１に配置されたままである。また、第１グリルレバー２５は、第１グリル係合突部２１ｂが第１突片２５ａに近付くものの未到達（非係合）であることで初期回動位置Ｐｇｏ１に配置されたままである。さらに、第２グリルレバー２６は、第２グリル係合突部２１ｄが第２突片２６ａからそのまま離れてこれとの係合を解除する（非係合である）ことで初期回動位置Ｐｇｏ２に配置されたままである。
【００４５】
サンギヤ２１が第１方向Ｃ１１に更に回動駆動されると、遊星ギヤ２３が軸部２３ａの周りに自転しつつガイド凹部２２ａに沿って図示反時計回りに公転する。このとき、スポイラレバー２４は、空走溝２４ｃの終端において、遊星ギヤ２３の軸部２３ａに押圧されることで遊星ギヤ２３と共に軸線Ｏ１を中心に図示反時計回りに回動する。そして、サンギヤ２１が第１方向Ｃ１１に更に回動駆動されて所定のスポイラ作動位置Ｐａ１に到達すると、図５（ｂ）への変化で示すように、これに伴ってスポイラレバー２４が所定のスポイラ作動回動位置Ｐｓａ１に到達する。初期回動位置Ｐｓｏ１及びスポイラ作動回動位置Ｐｓａ１の間の回動量Δθｓ１は、前述のスポイラ５の下降作動（展開作動）が完了する作用片２４ａの回動量に相当している。つまり、スポイラレバー２４がスポイラ作動回動位置Ｐｓａ１に到達することで、スポイラ５が展開状態になる。
【００４６】
このとき、スポイラレバー２４は、遊星ギヤ２３の軸部２３ａがガイド凹部２２ａの図示反時計回りに先行する側の終端（第１端）Ｅｐに到達することで、遊星ギヤ２３と共に軸線Ｏ１を中心とする図示反時計回りの回動が規制される。また、第１グリルレバー２５は、依然として初期回動位置Ｐｇｏ１に配置されたままであるものの、サンギヤ２１の第１グリル係合突部２１ｂが第１突片２５ａに到達してこれに当接又は近接する。
【００４７】
なお、スポイラレバー２４を前述の初期回動位置Ｐｓｏ１に位置決めする付勢部材は、スポイラレバー２４をスポイラ作動回動位置Ｐｓａ１にも位置決めする。つまり、当該付勢部材は、初期回動位置Ｐｓｏ１及びスポイラ作動回動位置Ｐｓａ１の２位置でスポイラレバー２４を位置決め・保持する構造（例えば節度スプリングなど）となっている。
【００４８】
続いて、サンギヤ２１が第１方向Ｃ１１に更に回動駆動されると、第１グリル係合突部２１ｂに第１突片２５ａの押圧される第１グリルレバー２５が軸線Ｏｇ１を中心に図示時計回りに回動する。そして、サンギヤ２１が所定の第１グリル作動位置Ｐｂ１に到達すると、図５（ｃ）への変化で示すように、これに伴って第１グリルレバー２５が所定のグリルシャッタ作動回動位置Ｐｇｂ１に到達する。初期回動位置Ｐｇｏ１及びグリルシャッタ作動回動位置Ｐｇｂ１の間の回動量Δθｇ１は、前述のグリルシャッタ４の開作動が完了する第１グリルレバー２５の回動量に相当している。つまり、第１グリルレバー２５がグリルシャッタ作動回動位置Ｐｇｂ１に到達することで、グリルシャッタ４が全開状態になる。このとき、スポイラレバー２４は、遊星ギヤ２３の軸部２３ａがガイド凹部２２ａの終端Ｅｐで自転（空振り）することでスポイラ作動回動位置Ｐｓａ１に配置されたままである。
【００４９】
サンギヤ２１が第１グリル作動位置Ｐｂ１からスポイラ作動位置Ｐａ１まで回動すると、第１グリル係合突部２１ｂから解放される第１グリルレバー２５が該当の付勢部材に付勢されて回動する。これにより、前述とは逆順でグリルシャッタ４が閉作動して全閉状態になる。続いて、サンギヤ２１がスポイラ作動位置Ｐａ１から初期位置Ｐｏ１に移動すると、スポイラレバー２４は、空走溝２４ｃの図示反時計回りに追従する側の終端において、遊星ギヤ２３の軸部２３ａに押圧されることで遊星ギヤ２３と共に軸線Ｏ１を中心に図示時計回りに回動する。これにより、前述とは逆順でスポイラ５が上昇作動して格納状態になる。
【００５０】
一方、サンギヤ２１が初期位置Ｐｏ１にある状態で、サンギヤ２１が図示時計回り（以下、「第２方向Ｃ１２」ともいう）に回動駆動されると、第２グリル係合突部２１ｄに第２突片２６ａの押圧される第２グリルレバー２６が軸線Ｏｇ２を中心に図示反時計回りに回動する。これに伴い、第２突片２６ａに中継片２５ｂの押圧される第１グリルレバー２５が軸線Ｏｇ１を中心に図示時計回りに回動する。そして、サンギヤ２１が所定の第２グリル作動位置Ｐｃ１に到達すると、図６への変化で示すように、これに伴って第１グリルレバー２５がグリルシャッタ作動回動位置Ｐｇｂ１に到達する。第１グリルレバー２５がグリルシャッタ作動回動位置Ｐｇｂ１に到達することで、グリルシャッタ４が全開状態になることは既述のとおりである。このとき、スポイラレバー２４は、遊星ギヤ２３の軸部２３ａがガイド凹部２２ａの終端Ｅｆで自転（空振り）することで初期回動位置Ｐｓｏ１に配置されたままである。
【００５１】
サンギヤ２１が第２グリル作動位置Ｐｃ１から初期位置Ｐｏ１まで回動すると、第２グリル係合突部２１ｄから解放される第２グリルレバー２６が該当の付勢部材に付勢されて回動するとともに、第２突片２６ａから解放される第１グリルレバー２５が該当の付勢部材に付勢されて回動する。これにより、前述とは逆順でグリルシャッタ４が閉作動して全閉状態になる。
【００５２】
以上詳述したように、本実施形態によれば、前記第１の実施形態における（１）、（３）の効果に加えて以下に示す効果が得られるようになる。
（１）本実施形態では、スポイラレバー２４に空走溝２４ｃを形成して不感帯を設定したことで、遊星ギヤ２３の公転に対してスポイラレバー２４の回動を遅延させることができる。そして、例えばサンギヤ２１が初期位置Ｐｏ１から第１方向Ｃ１１に回動してからスポイラレバー２４が回動し始めるまでに時間差を設定できる。あるいは、サンギヤ２１が初期位置Ｐｏ１へと回動する際、空走溝２４ｃで吸収可能な一定範囲内に近付けば、該当の付勢部材にてスポイラレバー２４を初期回動位置Ｐｓｏ１に速やかに復帰させることができる。
【００５３】
（第３の実施形態）
以下、グリルシャッタ及びスポイラの駆動装置の第３の実施形態について説明する。なお、第３の実施形態は、第１及び第２の実施形態の伝達機構を変更した構成であるため、同様の部分についてはその詳細な説明は省略する。
【００５４】
図７に示すように、本実施形態のアクチュエータ３０は、モータ１１により軸線Ｏ２の周りに回転駆動されるボルトとしてのスピンドルボルト３１及びナット３２を備える。このナット３２は、例えばピン等により回転の規制された状態で該スピンドルボルト３１と螺合する環状のナット部３２ａを有する。従って、スピンドルボルト３１が回転すると、該スピンドルボルト３１との間のねじ作用でナット３２がスピンドルボルト３１に沿って移動する。また、ナット３２は、軸線Ｏ２を中心とする径方向一側（図示左側）で、ナット部３２ａの軸線方向における一側端及び他側端（図示上端及び下端）にそれぞれ突設された第１係合突部３２ｂ及び第２係合突部３２ｃを有する。第１係合突部３２ｂの軸線方向における一側端面（図示上端面）は、軸線Ｏ２に向かうに従いナット部３２ａに近付くように傾斜して第１ガイド面３２ｄを形成するとともに、第２係合突部３２ｃの軸線方向における他側端面（図示下端面）は、軸線Ｏ２に向かうに従いナット部３２ａから離間するように傾斜して第２ガイド面３２ｅを形成する。さらに、ナット３２は、軸線Ｏ２を中心とする径方向他側（図示右側）でナット部３２ａの外周部に固着されたラック３２ｆを有する。
【００５５】
また、アクチュエータ３０は、ラック３２ｆよりも外周側で軸線Ｏ２に直交する一方向（紙面に直交する方向）と平行な軸線Ｏｓ２の周りに回動自在なスポイラレバー３３を備える。このスポイラレバー３３は、軸線Ｏｓ２を中心とする略円環状の本体部３３ａを有するとともに、該本体部３３ａの所定角度範囲でラック３２ｆに噛合可能に形成された略扇状のセクタギヤ部３３ｂを有し、更に本体部３３ａから一側（図示左上側）に延伸する略アーム状の作用片３３ｃを有する。なお、アクチュエータ３０は、スポイラレバー３３の作用片３３ｃにおいてスポイラリンク機構７に機械的に連係される。つまり、スポイラレバー３３が回動することで、スポイラ５が昇降作動するようになっている。
【００５６】
さらに、アクチュエータ３０は、第１係合突部３２ｂの第２係合突部３２ｃから離間する側（図示上側）で軸線Ｏｓ２と平行に延びる軸線Ｏｇ２１の周りに回動自在な第１グリルレバー３４を備える。この第１グリルレバー３４は、軸線Ｏｇ２１を中心とする径方向一側（図示下側）に延伸する第１突片３４ａを有するとともに、径方向他側（図示上側）に延伸する作用片３４ｂを有する。第１突片３４ａの先端部は、第１係合突部３２ｂの移動軌跡を遮るように配置されている。なお、アクチュエータ３０は、第１グリルレバー３４の作用片３４ｂにおいて伝達リンク６に機械的に連係される。つまり、第１グリルレバー３４が回動することで、両グリルシャッタ４が同時に開閉作動するようになっている。
【００５７】
また、アクチュエータ３０は、第２係合突部３２ｃの第１係合突部３２ｂから離間する側（図示下側）で軸線Ｏｓ２と平行に延びる軸線Ｏｇ２２の周りに回動自在な第２グリルレバー３５を備える。この第２グリルレバー３５は、軸線Ｏｇ２２を中心とする径方向一側（図示上側）に延伸する第２突片３５ａを有する。第２突片３５ａの先端部は、第２係合突部３２ｃの移動軌跡を遮るように配置されている。なお、アクチュエータ３０は、第２グリルレバー３５の第２突片３５ａにおいても伝達リンク６に機械的に連係される。つまり、第２グリルレバー３５が回動することでも、両グリルシャッタ４が同時に開閉作動するようになっている。
【００５８】
スピンドルボルト３１、ナット３２、セクタギヤ部３３ｂ、第１突片３４ａ及び第２突片３５ａは、伝達機構を構成する。
ここで、スピンドルボルト３１は、第１及び第２グリルレバー３４，３５の間に跨って軸線方向に延設されている。そして、グリルシャッタ４が全閉状態にあり、且つ、スポイラ５が格納状態にあるとき、図７に示すように、初期位置Ｐｏ２にあるナット３２は、ラック３２ｆを本体部３３ａの外周部に配置する。また、スポイラレバー３３は、適宜の付勢部材（図示略）により、所定の初期回動位置Ｐｓｏ２に位置決めされている。このとき、セクタギヤ部３３ｂは、その図示時計回りに先行する側の終端でラック３２ｆに噛合可能となっている。さらに、第１グリルレバー３４は、適宜の付勢部材（図示略）により、所定の初期回動位置Ｐｇｏ２１に位置決めされている。このとき、第１突片３４ａは、軸線Ｏｇ２１を中心とする径方向一側（図示下側）に延伸してその先端が第２ガイド面３２ｅから離間する状態で第１係合突部３２ｂの移動軌跡を遮る。また、第２グリルレバー３５は、適宜の付勢部材（図示略）により、所定の初期回動位置Ｐｇｏ２２に位置決めされている。このとき、第２突片３５ａは、軸線Ｏｇ２２を中心とする径方向一側（図示上側）に延伸してその先端が第２ガイド面３２ｅに当接又は近接する状態で第２係合突部３２ｃの移動軌跡を遮る。
【００５９】
この状態で、スピンドルボルト３１が一方向に回動駆動されると、該スピンドルボルト３１との間のねじ作用でナット３２が軸線Ｏ２に沿って一方向（図示上方、以下、「第１方向Ｍ１」ともいう）に移動する。これに伴い、ラック３２ｆにセクタギヤ部３３ｂが噛合してスポイラレバー３３が図示時計回りに回動する。そして、ナット３２が第１方向Ｍ１に更に移動して所定のスポイラ作動位置Ｐａ２に到達すると、図８（ａ）への変化で示すように、これに伴ってスポイラレバー３３が所定のスポイラ作動回動位置Ｐｓａ２に到達する。初期回動位置Ｐｓｏ２及びスポイラ作動回動位置Ｐｓａ２の間の回動量Δθｓ２は、前述のスポイラ５の下降作動（展開作動）が完了する作用片３３ｃの回動量に相当している。つまり、スポイラレバー３３がスポイラ作動回動位置Ｐｓａ２に到達することで、スポイラ５が展開状態になる。このとき、セクタギヤ部３３ｂは、その図示時計回りに追従する側の終端がラック３２ｆに到達することで該ラック３２ｆとの噛合がまさに外れる。つまり、スポイラレバー３３は、セクタギヤ部３３ｂの非形成部位がラック３２ｆに到達することで、ナット３２が第１方向Ｍ１に更に移動したとしてもそれ以上は回動することがない。また、第１グリルレバー３４は、依然として初期回動位置Ｐｇｏ２１に配置されたままであるものの、第１係合突部３２ｂの第１ガイド面３２ｄが第１突片３４ａに到達してこれに当接又は近接する。換言すれば、ナット３２が初期位置Ｐｏ２及びスポイラ作動位置Ｐａ２の間を移動する際、第１係合突部３２ｂは第１突片３４ａと非係合である。
【００６０】
なお、スポイラレバー３３を前述の初期回動位置Ｐｓｏ２に位置決めする付勢部材は、スポイラレバー３３をスポイラ作動回動位置Ｐｓａ２にも位置決めする。つまり、当該付勢部材は、初期回動位置Ｐｓｏ２及びスポイラ作動回動位置Ｐｓａ２の２位置でスポイラレバー３３を位置決め・保持する構造（例えば節度スプリングなど）となっている。
【００６１】
続いて、ナット３２が第１方向Ｍ１に更に移動すると、第１係合突部３２ｂに第１突片３４ａの押圧される第１グリルレバー３４が、第１ガイド面３２ｄに案内されつつ軸線Ｏｇ２１を中心に図示反時計回りに回動する。そして、ナット３２が所定の第１グリル作動位置Ｐｂ２に到達すると、図８（ｂ）への変化で示すように、これに伴って第１グリルレバー３４が所定のグリルシャッタ作動回動位置Ｐｇｂ２に到達する。初期回動位置Ｐｇｏ２１及びグリルシャッタ作動回動位置Ｐｇｂ２の間の回動量Δθｇ２１は、前述のグリルシャッタ４の開作動が完了する第１グリルレバー３４の回動量に相当している。つまり、第１グリルレバー３４がグリルシャッタ作動回動位置Ｐｇｂ２に到達することで、グリルシャッタ４が全開状態になる。このとき、スポイラレバー３３は、ラック３２ｆを通過させる（空振りする）ことでスポイラ作動回動位置Ｐｓａ２に配置されたままである。なお、ナット３２が初期位置Ｐｏ２及びグリルシャッタ作動回動位置Ｐｇｂ２の間を移動する際、第２係合突部３２ｃが第２突片３５ａと非係合であることはいうまでもない。
【００６２】
ナット３２が第１グリル作動位置Ｐｂ２からスポイラ作動位置Ｐａ２まで移動すると、第１係合突部３２ｂから解放される第１グリルレバー３４が該当の付勢部材に付勢されて回動する。これにより、前述とは逆順でグリルシャッタ４が閉作動して全閉状態になる。続いて、ナット３２がスポイラ作動位置Ｐａ２から初期位置Ｐｏ２に移動すると、ラック３２ｆにセクタギヤ部３３ｂが噛合してスポイラレバー３３が図示反時計回りに回動する。これにより、前述とは逆順でスポイラ５が上昇作動して格納状態になる。
【００６３】
一方、ナット３２が初期位置Ｐｏ２にある状態で、スピンドルボルト３１が逆方向に回動駆動されると、該スピンドルボルト３１との間のねじ作用でナット３２が軸線Ｏ２に沿って他方向（図示下方、以下、「第２方向Ｍ２」ともいう）に移動する。これに伴い、第２係合突部３２ｃに第２突片３５ａの押圧される第２グリルレバー３５が、第２ガイド面３２ｅに案内されつつ軸線Ｏｇ２２を中心に図示反時計回りに回動する。このとき、セクタギヤ部３３ｂは、その図示時計回りに先行する側の終端がラック３２ｆに位置することで、即ちスポイラレバー３３は、セクタギヤ部３３ｂの非形成部位がラック３２ｆに位置することで、ナット３２が第２方向Ｍ２に移動したとしても回動することがない。そして、ナット３２が所定の第２グリル作動位置Ｐｃ２に到達すると、図８（ｃ）への変化で示すように、これに伴って第２グリルレバー３５がグリルシャッタ作動回動位置Ｐｇｃ２に到達する。初期回動位置Ｐｇｏ２２及びグリルシャッタ作動回動位置Ｐｇｃ２の間の回動量Δθｇ２２は、前述のグリルシャッタ４の開作動が完了する第２グリルレバー３５の回動量に相当している。つまり、第２グリルレバー３５がグリルシャッタ作動回動位置Ｐｇｃ２に到達することで、グリルシャッタ４が全開状態になる。このとき、スポイラレバー３３は、ラック３２ｆを通過させる（空振りする）ことでスポイラ作動回動位置Ｐｓａ２に配置されたままである。
【００６４】
ナット３２が第２グリル作動位置Ｐｃ２から初期位置Ｐｏ２まで移動すると、第２係合突部３２ｃから解放される第２グリルレバー３５が該当の付勢部材に付勢されて回動する。これにより、前述とは逆順でグリルシャッタ４が閉作動して全閉状態になる。
【００６５】
以上詳述したように、本実施形態によれば、前記第１の実施形態における（１）、（３）の効果と同様の効果が得られるようになる。
なお、上記実施形態は以下のように変更してもよい。
【００６６】
・前記第２の実施形態において、空走溝２４ｃを省略してスポイラレバー２４にそのまま遊星ギヤ２３を軸支してもよい。
・前記第３の実施形態において、図７に示すように、作用片３４ｂ及び第２突片３５ａの軸線Ｏｇ２１，Ｏｇ２２からの延出長を互いに同等に設定してもよい。そして、作用片３４ｂ及び第２突片３５ａの両先端部に、軸線Ｏｇ２１，Ｏｇ２２を結ぶ直線と平行に延在する略棒状の媒介リンク３６の両先端部をそれぞれ回動自在に連結してもよい。つまり、作用片３４ｂ、第２突片３５ａ及び媒介リンク３６により、軸線Ｏｇ２１，Ｏｇ２２を固定端とする平行リンク機構を構成してもよい。この場合、第１及び第２グリルレバー３４，３５が媒介リンク３６を介して互いに同一角度で回動する。従って、第１及び第２グリルレバー３４，３５のいずれか一方のみがグリルシャッタ４と連係される構成であってもよい。あるいは、媒介リンク３６を伝達リンク６として使用してもよい。
【００６７】
・前記第３の実施形態においては、第１係合突部３２ｂに第１グリルレバー３４の回動を案内する第１ガイド面３２ｄを形成したが、これに代えて、若しくはこれに加えて、第１グリルレバー３４自体にその回動を案内するガイド面を形成してもよい。また、第２係合突部３２ｃに第２グリルレバー３５の回動を案内する第２ガイド面３２ｅを形成したが、これに代えて、若しくはこれに加えて、第２グリルレバー３５自体にその回動を案内するガイド面を形成してもよい。
【００６８】
・前記第３の実施形態において、軸線Ｏｇ２１，Ｏｇ２２は、軸線Ｏ２に直交する一方向と平行であれば、軸線Ｏｓ２と平行でなくてもよい。
次に、上記実施形態及び別例から把握できる技術的思想について以下に追記する。
【００６９】
（イ）上記グリルシャッタ及びスポイラの駆動装置において、
前記遊星ギヤの公転に対して前記スポイラレバーの回動を遅延させる不感帯が設定された、グリルシャッタ及びスポイラの駆動装置。
【符号の説明】
【００７０】
Ｃ１，Ｃ１１，Ｍ１…第１方向、Ｃ２，Ｃ１１，Ｍ２…第２方向、Ｅｆ…終端（第２端）、Ｅｐ…終端（第１端）、４…グリルシャッタ、５…スポイラ、１１…モータ、１２…回動体（伝達機構）、１２ｂ…スポイラ係合突部、１２ｄ…グリル係合突部、１３…スポイラレバー、１３ｃ…スポイラ係合溝（スポイラ係合凹部、伝達機構）、１４…グリルレバー、１５…グリル係合溝（グリル係合凹部、伝達機構）、２１…サンギヤ（伝達機構）、２１ｂ…第１グリル係合突部（第１係合突部）、２１ｄ…第２グリル係合突部（第２係合突部）、２２…固定プレート（固定部材、伝達機構）、２２ａ…ガイド凹部、２３…遊星ギヤ（伝達機構）、２４…スポイラレバー、２５…第１グリルレバー（グリルレバー）、２５ａ…第１突片、２５ｂ…中継片（伝達機構）、２６…第２グリルレバー（伝達機構）、２６ａ…第２突片、３１…スピンドルボルト（ボルト、伝達機構）、３２…ナット（伝達機構）、３２ｂ…第１係合突部、３２ｃ…第２係合突部、３２ｆ…ラック、３３…スポイラレバー、３３ｂ…セクタギヤ部（伝達機構）、３４…第１グリルレバー（グリルレバー）、３４ａ…第１突片（伝達機構）、３５…第２グリルレバー（グリルレバー）、３５ａ…第２突片（伝達機構）。
【図１】
2017196935.tif 000003
【図２】
2017196935.tif 000004
【図３】
2017196935.tif 000005
【図４】
2017196935.tif 000006
【図５】
2017196935.tif 000007
【図６】
2017196935.tif 000008
【図７】
2017196935.tif 000009
【図８】
2017196935.tif 000010